【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
第１の画像及び第２の画像に対して、両画像間における関心領域の対応点のマッチング度合いを取得するマッチング度合い取得手段と、
前記対応点の周囲におけるテクスチャの複雑さを評価するテクスチャ評価手段と、
前記第１の画像と前記第２の画像とを位置合わせする際の関心領域の移動量を示すシフトベクトルを取得するシフトベクトル取得手段と、
前記マッチング度合いと前記テクスチャの複雑さとに基づき、前記シフトベクトルに対して重み付けを行うシフトベクトル重み付与手段と、
を有することを特徴とする画像処理装置。
【請求項２】
前記テクスチャ評価手段は、前記テクスチャの複雑さを、前記対応点が設定された関心領域に関する幾何学情報に基づいて評価することを特徴とする請求項１に記載の画像処理装置。
【請求項３】
前記テクスチャ評価手段は、前記テクスチャの複雑さを、前記対応点が設定された関心領域内の画像のヒストグラムの統計的特徴量に基づいて評価することを特徴とする請求項１に記載の画像処理装置。
【請求項４】
前記テクスチャ評価手段は、前記テクスチャの複雑さを、前記対応点が設定された関心領域内の画像の高周波成分の割合に基づいて評価することを特徴とする請求項１に記載の画像処理装置。
【請求項５】
前記テクスチャ評価手段は、前記テクスチャの複雑さを評価するに当たり、前記関心領域内の画像に対して、フーリエ変換、離散コサイン変換又はウェブレット変換による周波数変換を行うことを特徴とする請求項４に記載の画像処理装置。
【請求項６】
前記テクスチャ評価手段は、前記テクスチャの複雑さを評価するに当たり、前記関心領域内の画像に対して周波数変換を行い、この周波数変換の結果得られえた高周波成分係数の絶対値又は自乗和の、全て係数の絶対値又は自乗和に対する比率をテクスチャとすることを特徴とする請求項４に記載の画像処理装置。
【請求項７】
前記テクスチャ評価手段は、前記テクスチャの複雑さを、前記対応点が設定された関心領域内の画像に対してエッジ検出をし、前記エッジの量に基づいて評価することを特徴とする請求項１に記載の画像処理装置。
【請求項８】
前記シフトベクトル重み付与手段は、前記マッチング度合いと前記テクスチャの複雑さとを互いに関連付けるに当たり、前記マッチング度合いの評価値と前記テクスチャの複雑さの評価値とを互いに乗算し、その積を正規化することを特徴とする請求項１に記載の画像処理装置。
【請求項９】
前記シフトベクトル重み付与手段は、前記テクスチャの複雑さの評価値を正規化し、この結果とマッチング度合いとの重み付け和をシフトベクトルの重みとすることを特徴とする請求項１に記載の画像処理装置。
【請求項１０】
マッチング度合い取得手段が、第１の画像及び第２の画像に対して、両画像間における関心領域の対応点のマッチング度合いを取得するマッチング度合い取得ステップと、
テクスチャ評価手段が、前記対応点の周囲におけるテクスチャの複雑さを評価するテクスチャ評価ステップと、
シフトベクトル取得手段が、前記第１の画像と前記第２の画像とを位置合わせする際の関心領域の移動量を示すシフトベクトルを取得するシフトベクトル取得手段と、
シフトベクトル重み付与手段が、前記マッチング度合いと前記テクスチャの複雑さとに基づき、前記シフトベクトルに対して重み付けを行うシフトベクトル重み付与ステップと、
を有することを特徴とする画像処理方法。
【請求項１１】
前記テクスチャ評価ステップは、前記テクスチャの複雑さを、前記対応点が設定された関心領域内の画像のヒストグラムの統計的特徴量に基づいて評価することを特徴とする請求項１０に記載の画像処理方法。
【請求項１２】
前記テクスチャ評価ステップは、前記テクスチャの複雑さを、前記対応点が設定された関心領域内の画像の高周波成分の割合に基づいて評価することを特徴とする請求項１０に記載の画像処理方法。
【請求項１３】
前記テクスチャ評価ステップは、前記テクスチャの複雑さを評価するに当たり、前記関心領域内の画像に対して周波数変換を行い、この周波数変換の結果得られえた高周波成分係数の絶対値又は自乗和の、全て係数の絶対値又は自乗和に対する比率をテクスチャとすることを特徴とする請求項１２に記載の画像処理方法。
【請求項１４】
前記テクスチャ評価ステップは、前記テクスチャの複雑さを、前記対応点が設定された関心領域内の画像に対してエッジ検出をし、前記エッジの量に基づいて評価することを特徴とする請求項１０に記載の画像処理方法。
【請求項１５】
コンピュータを、
第１の画像及び第２の画像に対して、両画像間における関心領域の対応点のマッチング度合いを取得するマッチング度合い取得手段と、
前記対応点の周囲におけるテクスチャの複雑さを評価するテクスチャ評価手段と、
前記第１の画像と前記第２の画像とを位置合わせする際の関心領域の移動量を示すシフトベクトルを取得するシフトベクトル取得手段と、
前記マッチング度合いと前記テクスチャの複雑さとに基づき、前記シフトベクトルに対して重み付けを行うシフトベクトル重み付与手段として機能させるためのプログラム。
【請求項１６】
コンピュータを、
第１の画像及び第２の画像に対して、両画像間における関心領域の対応点のマッチング度合いを取得するマッチング度合い取得手段と、
前記対応点の周囲におけるテクスチャの複雑さを評価するテクスチャ評価手段と、
前記第１の画像と前記第２の画像とを位置合わせする際の関心領域の移動量を示すシフトベクトルを取得するシフトベクトル取得手段と、
前記マッチング度合いと前記テクスチャの複雑さとに基づき、前記シフトベクトルに対して重み付けを行うシフトベクトル重み付与手段として機能させるためのプログラムが格納されたコンピュータ読み取り可能な記録媒体。
【手続補正２】
【補正対象書類名】明細書
【補正対象項目名】００１０
【補正方法】変更
【補正の内容】
【００１０】
本発明に係る画像処理装置は、第１の画像及び第２の画像に対して、両画像間における関心領域の対応点のマッチング度合いを取得するマッチング度合い取得手段と、前記対応点の周囲におけるテクスチャの複雑さを評価するテクスチャ評価手段と、前記第１の画像と前記第２の画像とを位置合わせする際の関心領域の移動量を示すシフトベクトルを取得するシフトベクトル取得手段と、前記マッチング度合いと前記テクスチャの複雑さとに基づき、前記シフトベクトルに対して重み付けを行うシフトベクトル重み付与手段と、を有することを特徴とする。
【手続補正３】
【補正対象書類名】明細書
【補正対象項目名】００１１
【補正方法】変更
【補正の内容】
【００１１】
本発明に係る画像処理方法は、マッチング度合い取得手段が、第１の画像及び第２の画像に対して、両画像間における関心領域の対応点のマッチング度合いを取得するマッチング度合い取得ステップと、テクスチャ評価手段が、前記対応点の周囲におけるテクスチャの複雑さを評価するテクスチャ評価ステップと、シフトベクトル取得手段が、前記第１の画像と前記第２の画像とを位置合わせする際の関心領域の移動量を示すシフトベクトルを取得するシフトベクトル取得手段と、シフトベクトル重み付与手段が、前記マッチング度合いと前記テクスチャの複雑さとに基づき、前記シフトベクトルに対して重み付けを行うシフトベクトル重み付与ステップと、を有することを特徴とする。
【手続補正４】
【補正対象書類名】明細書
【補正対象項目名】００１２
【補正方法】変更
【補正の内容】
【００１２】
本発明に係るプログラムは、コンピュータを、第１の画像及び第２の画像に対して、両画像間における関心領域の対応点のマッチング度合いを取得するマッチング度合い取得手段と、前記対応点の周囲におけるテクスチャの複雑さを評価するテクスチャ評価手段と、前記第１の画像と前記第２の画像とを位置合わせする際の関心領域の移動量を示すシフトベクトルを取得するシフトベクトル取得手段と、前記マッチング度合いと前記テクスチャの複雑さとに基づき、前記シフトベクトルに対して重み付けを行うシフトベクトル重み付与手段として機能させるためのものであることを特徴とする。